(57)【要約】      （修正有）【課題】構造が強固で安定的な複合式椅子を提供する。【解決手段】固定座り部１は、ユーザが座り可能な少なくとも一つの第１受け部１１と、二つの第１レール部と、を備える。自在部２は、固定座り部と連接しており、第２受け部２１と、固定座り部及び第２受け部と連接しており、第２受け部を固定座り部に対して上昇可能にする連動構造２２と、を備える。第２受け部は二つの第２レール部を備え、連動構造は、二つの第１連動ロッドと、第１連動ロッドとそれぞれ連接している二つの第２連動ロッドと、を備える。第１連動ロッドは、第１レール部に沿って移動可能な第１スライド端と、第２受け部に枢着されている第１枢着端と、を備える。第２連動ロッドは、第２レール部と連接しており、第２レール部に沿ってスライドすることが可能な第２スライド端と、固定座り部に枢着されている第２枢着端と、を備える。【選択図】図１
0003185247.tif 000002
【実用新案登録請求の範囲】
【請求項１】
ユーザが座り可能な少なくとも一つの第１受け部（１１）と、二つの第１レール部（１２）と、を備える固定座り部（１）と、
前記固定座り部（１）と連接しており、第２受け部（２１）と、前記固定座り部（１）及び前記第２受け部（２１）と連接しており、前記第２受け部（２１）を前記固定座り部（１）に対して上昇可能にする連動構造（２２）と、を備え、前記第２受け部（２１）は二つの第２レール部（２１１）を備え、前記連動構造（２２）は、二つの第１連動ロッド（２３）と、前記第１連動ロッド（２３）とそれぞれ連接している二つの第２連動ロッド（２４）と、を備え、前記第１連動ロッド（２３）は、前記第１レール部（１２）に沿って移動可能な第１スライド端（２３１）と、前記第２受け部（２１）に枢着されている第１枢着端（２３２）と、を備え、前記第２連動ロッド（２４）は、前記第２レール部（２１１）と連接しており、前記第２レール部（２１１）に沿ってスライドすることが可能な第２スライド端（２４１）と、前記固定座り部（１）に枢着されている第２枢着端（２４２）と、を備える自在部（２）と、
を含み、
前記第１スライド端（２３１）が前記第１レール部（１２）に沿って前記第２枢着端（２４２）の方向に移動し、前記第２スライド端（２４１）が前記第２レール部（２１１）に沿って前記第１枢着端（２３２）の方向に移動すると、前記第２受け部（２１）は、前記第１連動ロッド（２３）と前記第２連動ロッド（２４）とに支持されて上昇する状態となり、前記第１スライド端（２３１）が前記第１レール部（１２）に沿って前記第２枢着端（２４２）から離れる方向に移動し、前記第２スライド端（２４１）が前記第２レール部（２１１）に沿って前記第１枢着端（２３２）から離れる方向に移動すると、前記第２受け部（２１）は、前記第１受け部（１１）と同じ高さに位置するように降下する状態となることを特徴とする複合式椅子。
【請求項２】
前記連動構造（２２）は、二つの前記第１スライド端（２３１）と連接している第１連接ロッド（２３３）を含むことを特徴とする、請求項１に記載の複合式椅子。
【請求項３】
前記連動構造（２２）は、二つの前記第２スライド端（２４１）と連接している第２連接ロッド（２４３）を含むことを特徴とする、請求項１に記載の複合式椅子。
【請求項４】
前記第１レール部（１２）の前記第２枢着端（２４２）に近接する端には、前記第１スライド端（２３１）を収容して、前記第１連動ロッド（２３）の移動を規制するための第１凹み（１２１）が設けられていることを特徴とする、請求項１に記載の複合式椅子。
【請求項５】
前記第１レール部（１２）は、前記第１凹み（１２１）の前記第２枢着端（２４２）から遠ざかった側に設けられている第２凹み（１２２）を有することを特徴とする、請求項４に記載の複合式椅子。
【請求項６】
前記連動構造（２２）は、前記第１レール部（１２）と連接している固定部（２５）と、前記固定部（２５）を挿通する引きロッド（２６）と、前記第１凹み（１２１）に配されており、前記引きロッド（２６）と連接しており、前記引きロッド（２６）の引きにより、前記第１スライド端（２３１）の前記第１凹み（１２１）からの離脱を選択的に規制するための止め部（２７）と、を含むことを特徴とする、請求項４に記載の複合式椅子。
【請求項７】
前記連動構造（２２）は、前記固定部（２５）の内部に設けられており、前記止め部（２７）と連接しており、前記引きロッド（２６）が力を受けるときに、前記止め部（２７）が押されて回復力を発生する弾性子（２８）を含むことを特徴とする、請求項６に記載の複合式椅子。
【請求項８】
前記固定座り部（１）は、前記第１レール部（１２）と前記第２レール部（２１）の間に設けられており、前記第２受け部（２１）を支持する支持部（１３）を含むことを特徴とする、請求項１に記載の複合式椅子。
【考案の詳細な説明】
【技術分野】
【０００１】
本考案は、複合式椅子に関し、特に、一部の座り部をテーブルに転換可能な椅子に関するものである。
【背景技術】
【０００２】
椅子は、ユーザが座って休憩可能なものであるが、部屋の空間は有限であるため、家具のメーカが単一の機能を有する家具を複数の機能を有する家具に改良することが一般的である。複合式椅子の長所は、簡易の変形により、椅子を複数の機能を有するものに転換することが可能となり、すなわち、一つの複合式椅子により、各種類の用途を満足することが可能である。例えば特許文献１のドイツ特許２３２７９０６号が提案された。このような椅子は、一つの枢着点により、椅子の背もたれを９０度に旋回してテーブルとすることが可能であるが、前記テーブルの高さを調整することができず、且つ単一の枢着点によって旋回する構造は、加えられる力が均一ではないと損壊しやすく、又は長期間に利用されると緩みやすいという問題があった。
【０００３】
また、特許文献２の台湾特許第４３６３９８号が提案された。このような複合式椅子は、複数の使用状態を有し、フレームと、前記フレームにそれぞれ設けられている、受け部と、自在部と、を含む。前記自在部は、自在プラットフォームと、二つの連接具と、調整具と、を含む。前記連接具は、前記フレームに枢着されている固定端と、前記自在プラットフォームに枢着されている作動端と、を有する。前記作動端は、前記固定端に対してあるストロークで旋回可能である。前記調整具は、前記自在プラットフォームに沿って延びる二つのガイドレールと、両端がそれぞれ前記二つのガイドレールに配されている連動ロッドと、前記連動ロッド及び前記自在プラットフォームとそれぞれ連接している二つの自在アームと、を有する。前記連動ロッドが前記ガイドレールを移動しているときには、前記連接具と前記自在アームとの動きにより、前記自在プラットフォームが前記受け部に対して上昇し、又は降下することが可能である。このように、異なる使用状態に転換可能である。
【０００４】
しかし、上記の複合式椅子の自在プラットフォームは、連接具と背もたれの連接と、調整具のガイドレール及び連動ロッドの合わせとにより、自在プラットフォームの位置を制御可能であるが、自在プラットフォームを有効に固定して支持することができず、ユーザが自在プラットフォームに当たると、連動ロッドがガイドレールに沿ってスライドして、自在プラットフォームの高さが変更するという問題があった。
【先行技術文献】
【特許文献】
【０００５】
【特許文献１】ドイツ特許２３２７９０６号公報
【特許文献２】台湾特許第４３６３９８号公報
【考案の概要】
【考案が解決しようとする課題】
【０００６】
本考案の主な目的は、構造が強固で安定的な複合式椅子を提供することにある。
【課題を解決するための手段】
【０００７】
本考案の複合式椅子によると、ユーザが座ることが可能な少なくとも一つの第１受け部１１と、二つの第１レール部１２と、を備える固定座り部１と、固定座り部１と連接しており、第２受け部２１と、固定座り部１及び第２受け部２１と連接しており、第２受け部２１を固定座り部１に対して上昇可能にする連動構造２２と、を備え、第２受け部２１は二つの第２レール部２１１を備え、連動構造２２は、二つの第１連動ロッド２３と、第１連動ロッド２３とそれぞれ連接している二つの第２連動ロッド２４と、を備え、第１連動ロッド２３は、第１レール部１２に沿って移動可能な第１スライド端２３１と、第２受け部２１に枢着されている第１枢着端２３２と、を備え、第２連動ロッド２４は、第２レール部２１１と連接しており、第２レール部２１１に沿ってスライドすることが可能な第２スライド端２４１と、固定座り部１に枢着されている第２枢着端２４２と、を備える自在部２と、を含み、第１スライド端２３１が第１レール部１２に沿って第２枢着端２４２の方向に移動し、第２スライド端２４１が第２レール部２１１に沿って第１枢着端２３２の方向に移動すると、第２受け部２１は、第１連動ロッド２３と第２連動ロッド２４とに支持されて上昇する状態となり、第１スライド端２３１が第１レール部１２に沿って第２枢着端２４２から離れる方向に移動し、第２スライド端２４１が第２レール部２１１に沿って第１枢着端２３２から離れる方向に移動すると、第２受け部２１は、第１受け部１１と同じ高さに位置するように降下する状態となることを特徴とする。
【０００８】
本考案の複合式椅子によると、連動構造２２は、二つの第１スライド端２３１と連接している第１連接ロッド２３３を含むことを特徴とする。
【０００９】
本考案の複合式椅子によると、連動構造２２は、二つの第２スライド端２４１と連接している第２連接ロッド２４３を含むことを特徴とする。
【００１０】
本考案の複合式椅子によると、第１レール部１２の第２枢着端２４２に近接する端には、第１スライド端２３１を収容して、第１連動ロッド２３の移動を規制するための第１凹み１２１が設けられていることを特徴とする。
【００１１】
本考案の複合式椅子によると、第１レール部１２は、第１凹み１２１の第２枢着端２４２から遠ざかった側に設けられている第２凹み１２２を有することを特徴とする。
【００１２】
本考案の複合式椅子によると、連動構造２２は、第１レール部１２と連接している固定部２５と、固定部２５を挿通する引きロッド２６と、第１凹み１２１に配されており、引きロッド２６と連接しており、引きロッド２６の引きにより、第１スライド端２３１の第１凹み１２１からの離脱を選択的に規制するための止め部２７と、を含むことを特徴とする。
【００１３】
本考案の複合式椅子によると、連動構造２２は、固定部２５の内部に設けられており、止め部２７と連接しており、引きロッド２６が力を受けるときに、止め部２７が押されて回復力を発生する弾性子２８を含むことを特徴とする。
【００１４】
本考案の複合式椅子によると、固定座り部１は、第１レール部１２と第２レール部２１の間に設けられており、第２受け部２１を支持する支持部１３を含むことを特徴とする。
【考案の効果】
【００１５】
本考案の複合式椅子によれば、二つの第１連動ロッドが二つの第１レール部に沿って移動し、且つ二つの第２連動ロッドが二つの第２レール部に沿って移動することにより、第２受け部を上昇し、又は降下することが可能となり、このように、第２受け部は、第１受け部に対して上昇してテーブルとすることが可能であり、又は第１受け部と同じ高さに位置するように降下して座面とすることが可能であるという効果を有する。
【図面の簡単な説明】
【００１６】
【図１】本考案の一実施例を示す外観図である。
【図２】本考案の一実施例の構造を示す分解斜視図である。
【図３Ａ】本考案の一実施例の作動を示す模式図である。
【図３Ｂ】本考案の一実施例の作動を示す模式図である。
【図３Ｃ】本考案の一実施例の作動を示す模式図である。
【図３Ｄ】本考案の一実施例の作動を示す模式図である。
【考案を実施するための形態】
【００１７】
以下、本考案の実施の形態を図面に基づいて説明する。
図１及び図２を参照する。図１は本考案の一実施例を示す外観図であり、図２は本考案の一実施例の構造を示す分解斜視図である。本実施例の複合式椅子は、固定座り部１と、固定座り部１と連接している自在部２と、を含む。固定座り部１は、ユーザが座ることが可能な少なくとも一つの第１受け部１１と、二つの第１レール部１２と、を含む。
自在部２は、第２受け部２１と、固定座り部１及び第２受け部２１と連接しており、第２受け部２１を固定座り部１に対して上昇可能にする連動構造２２と、を含む。第２受け部２１は二つの第２レール部２１１を含む。連動構造２２は、二つの第１連動ロッド２３と、第１連動ロッド２３とそれぞれ連接している二つの第２連動ロッド２４と、を含む。第１連動ロッド２３は、第１レール部１２に沿って移動可能な第１スライド端２３１と、第２受け部２１に枢着されている第１枢着端２３２と、を含む。第２連動ロッド２４は、第２レール部２１１と連接しており、第２レール部２１１に沿ってスライドすることが可能な第２スライド端２４１と、固定座り部１に枢着されている第２枢着端２４２と、を含む。
【００１８】
第１スライド端２３１が第１レール部１２に沿って第２枢着端２４２の方向に移動し、第２スライド端２４１が第２レール部２１１に沿って第１枢着端２３２の方向に移動すると、第２受け部２１は、第１連動ロッド２３と第２連動ロッド２４とに支持されて上昇する状態となる。第１スライド端２３１が第１レール部１２に沿って第２枢着端２４２から離れる方向に移動し、第２スライド端２４１が第２レール部２１１に沿って第１枢着端２３２から離れる方向に移動すると、第２受け部２１は、第１受け部１１と同じ高さに位置するように降下する状態となる。
【００１９】
図３Ａ乃至図３Ｄを参照する。図３Ａ乃至図３Ｄは本考案の一実施例の作動を示す模式図である。本実施例では、二つの第１連動ロッド２３、二つの第２連動ロッド２４、二つの第１レール部１２及び二つの第２レール部２１１は対称的な構造であり、説明を容易にするために、その一側だけについて説明する。第２受け部２１の上昇の高さを保持するために、第１レール部１２の第２枢着端２４２に近接する端には、第１スライド端２３１を収容するための第１凹み１２１が設けられている。第２受け部２１が力を受けて上昇しているときには、第２連動ロッド２４の第２スライド端２４１が第２レール部２１１に沿って移動し、なお、第１連動ロッド２３の第１スライド端２３１は、第１凹み１２１に当たるまで、第１レール部１２に沿って第２枢着端２４２の方向へ移動する。第１凹み１２１により、第１連動ロッド２３が支持され、第１スライド端２３１の移動が規制され、第２受け部２１の高さが固定される。
【００２０】
第１凹み１２１により第１連動ロッド２３の第１スライド端２３１の移動が規制されるが、ユーザの当たりにより第１連動ロッド２３が上昇するという可能性があり、このように、第１スライド端２３１が第１凹み１２１から離脱して、第２受け部２１が突然に降下する虞がある。このため、本実施例の連動構造２２は、第１レール部１２と連接している固定部２５と、固定部２５を挿通する引きロッド２６と、第１凹み１２１に配されており、引きロッド２６と連接しており、引きロッド２６の引きにより、第１スライド端２３１の第１凹み１２１からの離脱を選択的に規制するための止め部２７と、固定部２５の内部に設けられており、止め部２７と連接している弾性子２８と、を含む。止め部２７は、第１凹み１２１の上方に設けられており、第１スライド端２３１の第１凹み１２１からの離脱を常時規制する。
【００２１】
ユーザが本実施例の複合式椅子を前記上昇状態にしたく、すなわち、第２受け部２１を第１受け部１１よりも高くにしてテーブルとしたい場合には、第２受け部２１を上げるだけで、第１スライド端２３１が第１レール部１２に沿って移動し、第２スライド端２４１が第２レール部２１１に沿って移動し、なお、第２連動ロッド２４が第１連動ロッド２３に枢着されているため連動され、このように、第２スライド端２４１が第２レール部２１１に沿って第１枢着端２３２の方向へ移動する。第１スライド端２３１が第１凹み１２１の上方に移動するときには、止め部２７が押さえられて第１スライド端２３１が第１凹み１２１に落ちる。このとき、本実施例の複合式椅子は上昇状態となる。
【００２２】
本実施例の複合式椅子を上昇状態から降下状態に転換したいときには、引きロッド２６を引くだけで、止め部２７が引きロッド２６に連動されて第１凹み１２１の上方から離れると同時に、第２受け部２１を上げることにより、第１スライド端２３１は、第１凹み１２１から離脱して、第１レール部１２に沿って第２枢着端２４２から離れる方向へ移動し、なお、第２連動ロッド２４の第２スライド端２４１は、第２レール部２１１に沿って第１枢着端２３２から離れる方向へ移動し、このように、第２受け部２１を降下することが可能である。固定部２５の内部にある弾性子２８は、引きロッド２６が力を受けるときに、止め部２７に押さえられて回復力を発生する。第１スライド端２３１が第１レール部１２に沿って第１凹み１２１から離脱するときには、ユーザが引きロッド２６を放すと、前記回復力により引きロッド２６が第１凹み１２１の上方に戻す。第２受け部２１の降下速度が速すぎてユーザの手を挟むことを防止するために、第１レール部１２は、更に、第２枢着端２４２から遠ざかった第２凹み１２２を有する。第１スライド端２３１が第１レール部１２に沿って第２枢着端２４２から離れる方向へ移動するときには、第１スライド端２３１が第２凹み１２２に落として規制されてスライドが停止する。このように、第２受け部２１の降下速度を緩衝可能である他、第１連動ロッド２３の第１スライド端２３１が第２凹み１２２に落ちるため、第２受け部２１を別の高さに固定することが可能となる。すなわち、本実施例の複合式椅子の第２受け部２１は、二つの高さに固定することが可能である。
【００２３】
また、固定座り部１は、第１レール部１２と第２レール部２１の間に設けられており、第２受け部２１を支持する支持部１３を含む。第１受け部１１と同じ高さに位置するように第２受け部２１を降下したいときには、第２受け部２１を上げるだけで、第１スライド端２３１は、第２凹み１２２から離脱し、且つ第２枢着端２４２を離れて、第２受け部２１が支持部１３に降下する。これは、降下状態となる。
【００２４】
図２に示すように、二つの第１連動ロッド２３の間の連結を強化するために、連動構造２２は二つの第１スライド端２３１を連接する第１連接ロッド２３３を含み、二つの第２連動ロッド２４の間の連結を強化するために、連動構造２２は二つの第２スライド端２４１を連接する第２連接ロッド２４３を含む。このように、二つの第１連動ロッド２３は同期し連動可能であり、二つの第２連動ロッド２４も同期し連動可能である。本実施例の複合式椅子全体の安定性を増加することが可能である。
【００２５】
本考案の複合式椅子は、二つの第１連動ロッド２３が二つの第１レール部１２に沿ってスライドし、二つの第２連動ロッド２４が二つの第２レール部２１１に沿ってスライドすることにより、第２受け部２１を上昇し、又は降下することが可能である。このため、本考案の複合式椅子は、上昇状態又は降下状態に選択的に転換可能であり、すなわち、第２受け部２１は、第１受け部１１に対して上昇してテーブルとすることが可能であり、又は第１受け部１１と同じ高さに位置するように降下して座面とすることが可能である。そして本考案の複合式椅子は、第１凹み１２１と第２凹み１２２により、第２受け部２１を二つの高さに固定可能であり、且つ第２凹み１２２により、第２受け部２１の降下速度を緩衝可能であり、このように、ユーザの手が挟まれることを防止可能である。  
【産業上の利用可能性】
【００２６】
本考案は、椅子に適用することができる。
【符号の説明】
【００２７】
１  固定座り部
２  自在部
１１  第１受け部
１２  第１レール部
２１  第２受け部
２２  連動構造
２３  第１連動ロッド
２４  第２連動ロッド
２５  固定部
２６  引きロッド
２７  止め部
２８  弾性子
１２１  第１凹み
１２２  第２凹み
２１１  第２レール部
２３１  第１スライド端
２３２  第１枢着端
２３３  第１連接ロッド
２４１  第２スライド端
２４２  第２枢着端
２４３  第２連接ロッド
【図１】
0003185247.tif 000003
【図２】
0003185247.tif 000004
【図３Ａ】
0003185247.tif 000005
【図３Ｂ】
0003185247.tif 000006
【図３Ｃ】
0003185247.tif 000007
【図３Ｄ】
0003185247.tif 000008